(57)【要約】      （修正有）【課題】無線ネットワークアーキテクチャ、無線ネットワーク基地局およびその通信方法を提供する。【解決手段】無線ネットワークアーキテクチャ２はサーバ２１および同じネットワーク識別コードを有する複数の無線ネットワーク基地局２３，２５を含む。これらの無線ネットワーク基地局はそのうちの少なくとも１つがインターネットに接続しており、残りの無線ネットワーク基地局はネットワーク識別コードにより、既にインターネットに接続している無線ネットワーク基地局を自動サーチし、これと接続を確立する。各無線ネットワーク基地局は自身に接続している無線ネットワーク基地局の物理識別コードを記憶する。電子装置がこれらの無線ネットワーク基地局を介してインターネットに接続したとき、直接インターネットに接続している無線ネットワーク基地局は電子装置の物理識別コードを記憶し、サーバは電子装置とインターネットとの間の接続ルートを記憶する。【選択図】図２Ａ
2010183556.tif 000002
【特許請求の範囲】
【請求項１】
インターネットに接続しており、第１物理識別コードおよび第１ネットワーク識別コードを有する、第１無線ネットワーク基地局（Ｗｉｒｅｌｅｓｓ  ＬＡＮ  Ａｃｃｅｓｓ  Ｐｏｉｎｔ）と、
第２物理識別コードおよび該第１ネットワーク識別コードと同じ第２ネットワーク識別コードを有し、該第２ネットワーク識別コードにより、該第１無線ネットワーク基地局を自動サーチし、該第１無線ネットワーク基地局をサーチした後、該第１物理識別コードを記憶し、該第１無線ネットワーク基地局に接続し、第１電子装置を第２無線ネットワーク基地局および第１無線ネットワーク基地局を介して該インターネットに接続する、第２無線ネットワーク基地局と、
該インターネットに接続し、該インターネットと該第１電子装置の間の第１接続ルートを記憶し、第１情報サービスを生成し、該第１接続ルートを介して該第１情報サービスを該第１電子装置に伝送する、サーバとを含む無線ネットワークアーキテクチャであって、
該第１無線ネットワーク基地局は、該第２無線ネットワーク基地局が該第１無線ネットワーク基地局を自動サーチした後、該第２物理識別コードを記憶し、該第１無線ネットワーク基地局は、該第１電子装置が該インターネットに接続したとき、該第１電子装置の物理識別コードを記憶する、無線ネットワークアーキテクチャ。
【請求項２】
該第１ネットワーク識別コードが該第１無線ネットワーク基地局のＥＳＳＩＤ（Ｅｘｔｅｎｄｅｄ  Ｓｅｒｖｉｃｅ  Ｓｅｔ  Ｉｄｅｎｔｉｆｉｃａｔｉｏｎ）であり、第２ネットワーク識別コードが該第２無線ネットワーク基地局のＥＳＳＩＤである、請求項１に記載の無線ネットワークアーキテクチャ。
【請求項３】
該第１物理識別コードが該第１無線ネットワーク基地局のＭＡＣアドレス（ＭＡＣ  ａｄｄｒｅｓｓ）であり、該第２物理識別コードが該第２無線ネットワーク基地局のＭＡＣアドレスであり、該第１電子装置の該物理識別コードが該第１電子装置のＭＡＣアドレスである、請求項１に記載の無線ネットワークアーキテクチャ。
【請求項４】
該サーバがさらに該第１情報サービスを該第１電子装置に伝送した後、該第１情報サービスの利益を生むのに用いられる、請求項１に記載の無線ネットワークアーキテクチャ。
【請求項５】
該サーバがさらに該利益に基づいて、該第１接続ルート中の該第１無線ネットワーク基地局の分配利益、および該第１接続ルート中の該第２無線ネットワーク基地局の分配利益を計算するのに用いられる、請求項４に記載の無線ネットワークアーキテクチャ。
【請求項６】
該第１情報サービスが広告情報である、請求項１に記載の無線ネットワークアーキテクチャ。
【請求項７】
第３物理識別コードおよび該第２ネットワーク識別コードと同じ第３ネットワーク識別コードを有し、該第３ネットワーク識別コードにより、該第２無線ネットワーク基地局を自動サーチし、該第２無線ネットワーク基地局をサーチした後、該第２物理識別コードを記憶し、該第２無線ネットワーク基地局に接続し、第２電子装置を第３無線ネットワーク基地局、該第２無線ネットワーク基地局および該第１無線ネットワーク基地局を介して該インターネットに接続し、該第２無線ネットワーク基地局は、該第３無線ネットワーク基地局が該第２無線ネットワーク基地局を自動サーチした後、該第３物理識別コードを記憶し、該第１無線ネットワーク基地局は、該第２電子装置が該インターネットに接続したとき、該第２電子装置の物理識別コードを記憶する、第３無線ネットワーク基地局をさらに含み、
該サーバがさらに該インターネットと該第２電子装置の間の第２接続ルートを記憶し、第２情報サービスを生成し、該第２接続ルートを介して該第２情報サービスを該第２電子装置に伝送するのに用いられる、請求項１に記載の無線ネットワークアーキテクチャ。
【請求項８】
該第１ネットワーク識別コードが該第１無線ネットワーク基地局のＥＳＳＩＤであり、該第２ネットワーク識別コードが該第２無線ネットワーク基地局のＥＳＳＩＤであり、該第３ネットワーク識別コードが該第３無線ネットワーク基地局のＥＳＳＩＤである、請求項７に記載の無線ネットワークアーキテクチャ。
【請求項９】
該第１物理識別コードが該第１無線ネットワーク基地局のＭＡＣアドレスであり、該第２物理識別コードが該第２無線ネットワーク基地局のＭＡＣアドレスであり、該第３物理識別コードが該第３無線ネットワーク基地局のＭＡＣアドレスであり、該第２電子装置の該物理識別コードが該第２電子装置のＭＡＣアドレスである、請求項７に記載の無線ネットワークアーキテクチャ。
【請求項１０】
該サーバがさらに該第２情報サービスを該第２電子装置に伝送した後、該第２情報サービスの利益を生むのに用いられる、請求項７に記載の無線ネットワークアーキテクチャ。
【請求項１１】
該サーバがさらに該利益に基づいて、該第２接続ルート中の該第１無線ネットワーク基地局の分配利益、および該第２接続ルート中の該第３無線ネットワーク基地局の分配利益を計算するのに用いられる、請求項１０に記載の無線ネットワークアーキテクチャ。
【請求項１２】
該サーバがさらに該利益に基づいて、該第２接続ルート中の該第２無線ネットワーク基地局の分配利益を計算するのに用いられる、請求項１１に記載の無線ネットワークアーキテクチャ。
【請求項１３】
無線ネットワークアーキテクチャに用いられる通信方法であって、
該無線ネットワークアーキテクチャが第１無線ネットワーク基地局、第２無線ネットワーク基地局およびサーバを含み、該第１無線ネットワーク基地局および該サーバはそれぞれインターネットに接続しており、該第１無線ネットワーク基地局は第１物理識別コードおよび第１ネットワーク識別コードを有し、該第２無線ネットワーク基地局は第２物理識別コードおよび第２ネットワーク識別コードを有し、該第１ネットワーク識別コードと該第２ネットワーク識別コードは同じである、無線ネットワークアーキテクチャに用いる通信方法において、
（ａ）該第２無線ネットワーク基地局に該第２ネットワーク識別コードにより該第１無線ネットワーク基地局を自動サーチさせるステップと、
（ｂ）該ステップ（ａ）の後、該第２無線ネットワーク基地局に該第１物理識別コードを記憶させるステップと、
（ｃ）該ステップ（ａ）の後、該第１無線ネットワーク基地局に該第２物理識別コードを記憶させるステップと、
（ｄ）該ステップ（ａ）の後、該第２無線ネットワーク基地局と該第１無線ネットワーク基地局の間に接続を確立し、第１電子装置を該第２無線ネットワーク基地局および該第１無線ネットワーク基地局を介して該インターネットに接続するステップと、
（ｅ）該第１電子装置が該インターネットに接続したとき、該第１無線ネットワーク基地局および該第２無線ネットワーク基地局に該第１電子装置の物理識別コードを記憶させるステップと、
（ｆ）該サーバに該インターネットと該第１電子装置の間の第１接続ルートを記憶させるステップと、
（ｇ）該サーバに第１情報サービスを生成させるステップと、
（ｈ）該サーバに該第１接続ルートを介して該第１情報サービスを該第１電子装置に伝送させるステップとを含む通信方法。
【請求項１４】
該第１無線ネットワーク基地局の該第１物理識別コードが該第１無線ネットワーク基地局のＭＡＣアドレスであり、該第２無線ネットワーク基地局の該第２物理識別コードが該第２無線ネットワーク基地局のＭＡＣアドレスであり、該第１電子装置の該物理識別コードが該第１電子装置のＭＡＣアドレスである、請求項１３に記載の通信方法。
【請求項１５】
該第１ネットワーク識別コードが該第１無線ネットワーク基地局のＥＳＳＩＤであり、第２ネットワーク識別コードが該第２無線ネットワーク基地局のＥＳＳＩＤである、請求項１３に記載の通信方法。
【請求項１６】
ステップ（ｈ）の後、該サーバに該第１情報サービスの利益を生み出させるステップをさらに含む、請求項１３に記載の通信方法。
【請求項１７】
該利益に基づいて、該第１接続ルート中の該第１無線ネットワーク基地局の分配利益を計算するステップと、
該利益に基づいて、該第１接続ルート中の該第２無線ネットワーク基地局の分配利益を計算するステップとをさらに含む、請求項１６に記載の通信方法。
【請求項１８】
該第１情報サービスが広告情報である、請求項１３に記載の通信方法。
【請求項１９】
無線ネットワークアーキテクチャがさらに第３無線ネットワーク基地局を含み、該第３無線ネットワーク基地局は第３物理識別コードおよび第２ネットワーク識別コードと同じ第３ネットワーク識別コードを有する、請求項１３に記載の通信方法であって、さらに、
（ｉ）該第３無線ネットワーク基地局に該第３ネットワーク識別コードにより該第２無線ネットワーク基地局を自動サーチさせるステップと、
（ｊ）該ステップ（ｉ）の後、該第３無線ネットワーク基地局に該第２物理識別コードを記憶させるステップと、
（ｋ）該ステップ（ｉ）の後、該第２無線ネットワーク基地局に該第３物理識別コードを記憶させるステップと、
（ｌ）該ステップ（ｉ）の後、該第３無線ネットワーク基地局と該第２無線ネットワーク基地局の間に接続を確立し、第２電子装置を該第３無線ネットワーク基地局、該第２無線ネットワーク基地局および該第１無線ネットワーク基地局を介して該インターネットに接続するステップと、
（ｍ）該第２電子装置が該インターネットに接続したとき、該第１無線ネットワーク基地局、該第２無線ネットワーク基地局および該第３無線ネットワーク基地局に該第２電子装置の物理識別コードを記憶させるステップと、
（ｎ）該サーバに該インターネットと該第２電子装置の間の第２接続ルートを記憶させるステップと、
（ｏ）該サーバに第２情報サービスを生成させるステップと、
（ｐ）該サーバに該第２接続ルートを介して該第２情報サービスを該第２電子装置に伝送させるステップとを含む通信方法。
【請求項２０】
該第１物理識別コードが該第１無線ネットワーク基地局のＭＡＣアドレスであり、該第２物理識別コードが該第２無線ネットワーク基地局のＭＡＣアドレスであり、該第３物理識別コードが該第３無線ネットワーク基地局のＭＡＣアドレスであり、該第２電子装置の該物理識別コードが該第２電子装置のＭＡＣアドレスである、請求項１９に記載の通信方法。
【請求項２１】
該第３ネットワーク識別コードが該第３無線ネットワーク基地局のＥＳＳＩＤである、請求項１９に記載の通信方法。
【請求項２２】
該第２広告情報を該第２電子装置に伝送した後、該サーバに該第２広告情報の利益を生み出させるステップをさらに含む、請求項１９に記載の通信方法。
【請求項２３】
該利益に基づいて、該第２接続ルート中の該第１無線ネットワーク基地局の分配利益を計算するステップと、
該利益に基づいて、該第２接続ルート中の該第３無線ネットワーク基地局の分配利益を計算するステップとをさらに含む、請求項２２に記載の通信方法。
【請求項２４】
該利益に基づいて、該第２接続ルート中の該第２無線ネットワーク基地局の分配利益を計算するステップをさらに含む、請求項２３に記載の通信方法。
【請求項２５】
無線ネットワークアーキテクチャに適用される無線ネットワーク基地局であって、該無線ネットワークアーキテクチャは該無線ネットワーク基地局および別の無線ネットワーク基地局を含み、該無線ネットワーク基地局と別の無線ネットワーク基地局は同じネットワーク識別コードを有し、該無線ネットワーク基地局は
インターネットに接続しており、該別の無線ネットワーク基地局の接続要求を受け取るのに用いられ、該接続要求は該ネットワーク識別コードを含んでいる、通信モジュールと、
該接続要求を受け取り、電子装置を該別の無線ネットワーク基地局および該通信モジュールを介して該インターネットに接続するのに用いられる、処理モジュールと、
該処理モジュールが該接続要求を受け取った後、すぐに該別の無線ネットワーク基地局の物理識別コードを記憶し、該電子装置がインターネットに接続したとき、該電子装置の物理識別コードを記憶するのに用いられる、メモリモジュールとを含む、無線ネットワーク基地局において、
該別の無線ネットワーク基地局は、該処理モジュールが接続要求を受け取った後、該無線ネットワーク基地局の物理識別コードを記憶し、該電子装置が該インターネットに接続したとき、該電子装置の該物理識別コードを記憶する、無線ネットワーク基地局。
【請求項２６】
ネットワーク識別コードがＥＳＳＩＤである、請求項２５に記載の無線ネットワーク基地局。
【請求項２７】
該無線ネットワーク基地局の該物理識別コードが該無線ネットワーク基地局のＭＡＣアドレスであり、該別の無線ネットワーク基地局の該物理識別コードが該別の無線ネットワーク基地局のＭＡＣアドレスであり、該電子装置の物理識別コードが該電子装置のＭＡＣアドレスである、請求項２５に記載の無線ネットワーク基地局。
【請求項２８】
該無線ネットワークアーキテクチャがさらにサーバを含み、該通信モジュールはさらに該インターネットを介して該サーバから情報サービスを受け取り、該別の無線ネットワーク基地局を介して該情報サービスを該電子装置に伝送し、該サーバに該情報サービスの利益を生み出させ、該利益に基づいて該無線ネットワーク基地局の分配利益を計算し、該利益に基づいて該別の無線ネットワーク基地局の分配利益を計算するのに用いられる、請求項２５に記載の無線ネットワーク基地局。
【請求項２９】
該情報サービスが広告情報である、請求項２８に記載の無線ネットワーク基地局。
【請求項３０】
該通信モジュールが無線通信プロトコルにより、該別の無線ネットワーク基地局の該接続要求を受け取る、請求項２５に記載の無線ネットワーク基地局。
【請求項３１】
該無線通信プロトコルがＷＤＳ（Ｗｉｒｅｌｅｓｓ  Ｄｉｓｔｒｉｂｕｔｉｏｎ  Ｓｙｓｔｅｍ）標準である、請求項３０に記載の無線ネットワーク基地局。
【請求項３２】
無線ネットワーク基地局に用いる通信方法であって、
無線ネットワークアーキテクチャが該無線ネットワーク基地局および別の無線ネットワーク基地局を含み、該無線ネットワーク基地局と該別の無線ネットワーク基地局は同じネットワーク識別コードを有し、該無線ネットワーク基地局はインターネットに接続しており、
（ａ）該別の無線ネットワーク基地局から該ネットワーク識別コードを含む接続要求を受け取るステップと、
（ｂ）該別の無線ネットワーク基地局の接続要求を受け取り、電子装置を該別の無線ネットワーク基地局および該無線ネットワーク基地局を介して該インターネットに接続するステップと、
（ｃ）該接続要求を受け取った後、すぐに該別の無線ネットワーク基地局の物理識別コードを記憶するステップと、
（ｄ）該電子装置がインターネットに接続したとき、該電子装置の物理識別コードを記憶するステップとを含む通信方法において、
該別の無線ネットワーク基地局は、該無線ネットワーク基地局が接続要求を受け取った後、該無線ネットワーク基地局の物理識別コードを記憶し、該電子装置が該インターネットに接続したとき、該電子装置の該物理識別コードを記憶する、通信方法。
【請求項３３】
該無線ネットワーク基地局の該物理識別コードが該無線ネットワーク基地局のＭＡＣアドレスであり、該別の無線ネットワーク基地局の該物理識別コードが該別の無線ネットワーク基地局のＭＡＣアドレスであり、該電子装置の物理識別コードが該電子装置のＭＡＣアドレスである、請求項３２に記載の通信方法。
【請求項３４】
該ネットワーク識別コードがＥＳＳＩＤである、請求項３２に記載の通信方法。
【請求項３５】
該無線ネットワークアーキテクチャがさらにサーバを含む、請求項３２に記載の通信方法であって、さらに、
該インターネットを介して該サーバから情報サービスを受け取るステップと、
該別の無線ネットワーク基地局を介して該情報サービスを該電子装置に伝送し、該サーバに該情報サービスの利益を生み出させ、該利益に基づいて該無線ネットワーク基地局の分配利益を計算し、該利益に基づいて該別の無線ネットワーク基地局の分配利益を計算するステップとを含む、通信方法。
【請求項３６】
該情報サービスが広告情報である、請求項３５に記載の通信方法。
【請求項３７】
該ステップ（ａ）が無線通信プロトコルにより、該別の無線ネットワーク基地局の該接続要求を受け取る、請求項３２に記載の通信方法。
【請求項３８】
該無線通信プロトコルがＷＤＳ標準である、請求項３７に記載の通信方法。
【発明の詳細な説明】
【技術分野】
【０００１】
本発明は無線ネットワークアーキテクチャ、無線ネットワーク基地局およびその通信方法に関するものである。さらに詳しく言うと、本発明の無線ネットワークアーキテクチャ、無線ネットワーク基地局およびその通信方法は、電子装置とインターネットとの間の接続ルートにより、多種の情報サービスを提供するものである。
【背景技術】
【０００２】
科学技術の進歩に伴って、人々の通信に対する要求も日々高まってきており、通信の質に対する要求以外に、通信の利便性も重視されるようになってきた。無線通信は物理的な通信ネットワーク配線を必要とせず、機動性が高い等の利点を有しているため、近年、携帯電話、ノート型パソコンなどの無線通信機能を備えたモバイル製品も注目を集めるようになってきており、消費型の電子製品市場の主流となっている。
【０００３】
図１を参照されたい。これは従来の無線ネットワークアーキテクチャ１であり、サーバ１１、インターネット１３、無線ネットワーク基地局１５および電子装置１７を含んでいる。無線ネットワーク基地局１５はインターネット１３に接続し、かつ電子装置１７に接続サービスを提供し、電子装置１７を無線ネットワーク基地局１５を介してインターネット１３に接続することができる。このとき、サーバ１１はインターネット１３を介して電子装置１７に情報サービスを提供することができる。
【０００４】
無線ネットワーク基地局１５および電子装置１７の信号伝送範囲には限りがあるため、電子装置１７が活動できる範囲は限られる。同時に、別の無線ネットワーク基地局を介して無線ネットワークアーキテクチャ１を拡大しようとすると、繁雑な手動設定が必要になるため、使用において不便な点が増加する。また、無線ネットワークアーキテクチャ１において、サーバ１１および無線ネットワーク基地局１５はいずれも直接接続している設備を認識するのみであり、間接的に接続しているその他の設備を認識する方法がないため、従来の無線ネットワークアーキテクチャ１が提供できる情報サービスは比較的限られたものになっている。
【発明の概要】
【発明が解決しようとする課題】
【０００５】
上記を総合すると、如何にして無線ネットワーク基地局を増やして無線ネットワークアーキテクチャを広げ、無線ネットワークアーキテクチャ全体の信号伝送範囲を拡大して、電子装置がネットワークに入るのをより便利にするか、および如何にして無線ネットワークアーキテクチャ内の接続関係に基づいてさらに多様化したサービスを提供するかが、該分野の当業者にとって早急に解決すべき問題となっている。
【課題を解決するための手段】
【０００６】
本発明の目的は無線ネットワークアーキテクチャを提供することにある。該無線ネットワークアーキテクチャは第１無線ネットワーク基地局（Ｗｉｒｅｌｅｓｓ  ＬＡＮ  Ａｃｃｅｓｓ  Ｐｏｉｎｔ）、第２無線ネットワーク基地局およびサーバを含んでいる。該第１無線ネットワーク基地局はインターネットに接続しており、かつ第１物理識別コードおよび第１ネットワーク識別コードを有している。該第２無線ネットワーク基地局は第２物理識別コードおよび該第１ネットワーク識別コードと同じ第２ネットワーク識別コードを有している。該第２無線ネットワーク基地局は該第２ネットワーク識別コードにより、該第１無線ネットワーク基地局を自動サーチする。該第２無線ネットワーク基地局が該第１無線ネットワーク基地局をサーチした後、該第１無線ネットワーク基地局は該第２物理識別コードを記憶し、該第２無線ネットワーク基地局は該第１物理識別コードを記憶し、また該第２無線ネットワーク基地局は該第１無線ネットワーク基地局に接続する。これにより、電子装置は該第２無線ネットワーク基地局および該第１無線ネットワーク基地局を介して該インターネットに接続する。該第１無線ネットワーク基地局は、該電子装置が該インターネットに接続したとき、該電子装置の物理識別コードを記憶する。該サーバは該インターネットに接続することによって、該インターネットと該電子装置との間の接続ルートを記憶し、情報サービスを生成し、該接続ルートを介して該情報サービスを該電子装置に伝送する。
【０００７】
本発明のもう１つの目的は、無線ネットワークアーキテクチャに用いる通信方法を提供することにある。該無線ネットワークアーキテクチャは第１無線ネットワーク基地局、第２無線ネットワーク基地局およびサーバを含む。該第１無線ネットワーク基地局および該サーバはそれぞれインターネットに接続している。該第１無線ネットワーク基地局は第１物理識別コードおよび第１ネットワーク識別コードを有し、該第２無線ネットワーク基地局は第２物理識別コードおよび第２ネットワーク識別コードを有している。該第１ネットワーク識別コードと該第２ネットワーク識別コードは同じである。該方法は、（ａ）該第２無線ネットワーク基地局に該第２ネットワーク識別コードにより該第１無線ネットワーク基地局を自動サーチさせるステップと、（ｂ）該ステップ（ａ）の後、該第２無線ネットワーク基地局に該第１物理識別コードを記憶させるステップと、（ｃ）該ステップ（ａ）の後、該第１無線ネットワーク基地局に該第２物理識別コードを記憶させるステップと、（ｄ）該ステップ（ａ）の後、該第２無線ネットワーク基地局と該第１無線ネットワーク基地局の間に接続を確立し、電子装置を該第２無線ネットワーク基地局および該第１無線ネットワーク基地局を介して該インターネットに接続するステップと、（ｅ）該電子装置が該インターネットに接続したとき、該第１無線ネットワーク基地局および該第２無線ネットワーク基地局に該電子装置の物理識別コードを記憶させるステップと、（ｆ）該サーバに該インターネットと該電子装置との間の接続ルートを記憶させるステップと、（ｇ）該サーバに情報サービスを生成させるステップと、（ｈ）該サーバに該接続ルートを介して該情報サービスを該電子装置に伝送させるステップとを含む。
【０００８】
本発明のさらなる目的は、無線ネットワークアーキテクチャに適用される無線ネットワーク基地局を提供することにある。該無線ネットワークアーキテクチャは該無線ネットワーク基地局および別の無線ネットワーク基地局を含み、該無線ネットワーク基地局と該別の無線ネットワーク基地局は同じネットワーク識別コードを有している。該無線ネットワーク基地局は通信モジュール、処理モジュールおよびメモリモジュールを含む。該通信モジュールはインターネットに接続しており、該別の無線ネットワーク基地局の接続要求を受け取るのに用いられ、該接続要求は該ネットワーク識別コードを含んでいる。該処理モジュールは該接続要求を受け取り、電子装置を該別の無線ネットワーク基地局および該通信モジュールを介して該インターネットに接続するのに用いられる。該メモリモジュールは該処理モジュールが該接続要求を受け取った後、すぐに該別の無線ネットワーク基地局の物理識別コードを記憶し、該電子装置がインターネットに接続したとき、該電子装置の物理識別コードを記憶するのに用いられる。また、該別の無線ネットワーク基地局は、該処理モジュールが該接続要求を受け取った後、該無線ネットワーク基地局の物理識別コードを記憶し、該電子装置が該インターネットに接続したとき、該電子装置の該物理識別コードを記憶する。
【０００９】
本発明のさらなる目的は、無線ネットワーク基地局に用いる通信方法を提供することにある。無線ネットワークアーキテクチャは該無線ネットワーク基地局および別の無線ネットワーク基地局を含み、該無線ネットワーク基地局と該別の無線ネットワーク基地局は同じネットワーク識別コードを有している。該無線ネットワーク基地局はインターネットに接続している。該通信方法は、（ａ）該別の無線ネットワーク基地局から該ネットワーク識別コードを含む接続要求を受け取るステップと、（ｂ）該別の無線ネットワーク基地局の接続要求を受け取り、電子装置を該別の無線ネットワーク基地局および該無線ネットワーク基地局を介して該インターネットに接続するステップと、（ｃ）該接続要求を受け取った後、すぐに該別の無線ネットワーク基地局の物理識別コードを記憶するステップと、（ｄ）該電子装置がインターネットに接続したとき、該電子装置の物理識別コードを記憶するステップとを含む。ここで、該別の無線ネットワーク基地局は、該無線ネットワーク基地局が該接続要求を受け取った後、該無線ネットワーク基地局の物理識別コードを記憶し、該電子装置が該インターネットに接続したとき、該電子装置の該物理識別コードを記憶する。
【００１０】
本発明の無線ネットワークアーキテクチャにおいて、全ての無線ネットワーク基地局は同じネットワーク識別コードを有している必要があり、インターネットに接続していない無線ネットワーク基地局は該ネットワーク識別コードによって、インターネットに接続している無線ネットワーク基地局を自動サーチして、これと接続を確立することができる。各該無線ネットワーク基地局は各々の物理識別コードを有しており、各無線ネットワーク基地局は自身に接続する無線ネットワーク基地局の物理識別コードを記憶することができる。全ての無線ネットワーク基地局はいずれも電子装置にインターネットとの接続を提供することができる。電子装置が無線ネットワークアーキテクチャ中の少なくとも１つの無線ネットワーク基地局を介してインターネットに接続したとき、接続ルート上において直接インターネットに接続する無線ネットワーク基地局は電子装置の物理識別コードを記憶することができる。また、サーバも電子装置の接続ルートを記憶し、電子装置とインターネットとの間の接続ルートによって情報サービスを提供し、さらにこの情報サービスの利益を生み出すことができる。
【００１１】
本発明の前記目的、技術特徴、および利点をさらに明確にするために、以下に比較的良い実施例を示し、添付する図面と併せて詳細に説明する。
【図面の簡単な説明】
【００１２】
【図１】従来技術の無線ネットワークアーキテクチャを示した略図である。
【図２Ａ】第１実施例の無線ネットワークアーキテクチャを示した略図である。
【図２Ｂ】第１実施例の第１無線ネットワーク基地局を示した略図である。
【図３】第２実施例の通信方法を示した流れ図である。
【図４】第３実施例の無線ネットワークアーキテクチャを示した略図である。
【図５】第４実施例の通信方法を示した流れ図である。
【発明を実施するための形態】
【００１３】
本発明は無線ネットワークアーキテクチャ、この無線ネットワークアーキテクチャに用いる無線ネットワーク基地局および通信方法を提供するものであり、本発明では電子装置を少なくとも１つの無線ネットワーク基地局を介してインターネットに接続する。従来技術に比べ、本発明が提供する無線ネットワークアーキテクチャでは、直接インターネットに接続する無線ネットワーク基地局がそのダウンリンクに含まれる無線ネットワーク基地局および電子装置を十分認識している。また、無線ネットワークアーキテクチャ中のサーバが電子装置とインターネットとの間の接続ルートを利用して、情報サービスを電子装置に伝送し、この接続ルートにより利益を生む。本発明の無線ネットワークアーキテクチャによって、インターネットの情報サービスがもたらす利益は合理的に分配することができる。
【００１４】
以下の実施例は例を挙げて本発明の内容を説明するものであって、本発明を制限するものではない。また、以下の実施例および図面では、本発明に関係のない部材は省略して図示しておらず、かつ図面中の各部材間のサイズ関係はわかりやすくするためだけのものであって、実際の比率を限定するものではない。
【００１５】
図２Ａを参照されたい。図２Ａは本発明の第１実施例の無線ネットワークアーキテクチャ２の略図である。無線ネットワークアーキテクチャ２は、サーバ２１、インターネット１３、第１無線ネットワーク基地局２３、第２無線ネットワーク基地局２５および第１電子装置２７を含んでいる。第１電子装置２７は、無線ネットワークプロトコル機能を有するパソコン、ノート型パソコン、携帯電話またはその他の電子製品である。第１無線ネットワーク基地局２３は第１ネットワーク識別コードおよび第１物理識別コードを有し、第２無線ネットワーク基地局２５は第２ネットワーク識別コードおよび第２物理識別コードを有し、第１電子装置２７は物理識別コードを有する。第１ネットワーク識別コードと第２ネットワーク識別コードにより、その他の装置は第１無線ネットワーク基地局２３および第２無線ネットワーク基地局２５がそれぞれ従属する無線ネットワークを認識することができる。例を挙げると、第１ネットワーク識別コードは第１無線ネットワーク基地局２３のＥＳＳＩＤ（Ｅｘｔｅｎｄｅｄ  Ｓｅｒｖｉｃｅ  Ｓｅｔ  Ｉｄｅｎｔｉｆｉｃａｔｉｏｎ）でよく、第２ネットワーク識別コードは第２無線ネットワーク基地局２５のＥＳＳＩＤでよい。
【００１６】
無線ネットワークアーキテクチャ２において、第１ネットワーク識別コードと第２ネットワーク識別コードは同じであり、言い換えると、第１無線ネットワーク基地局２３と第２無線ネットワーク基地局２５は同じ通信プロトコル（ｐｒｏｔｏｃｏｌ）を使用しているため、二者間には互いに接続する能力が備わっている。第１物理識別コード、第２物理識別コードおよび電子装置２７の物理識別コードは、それぞれ第１無線ネットワーク基地局２３、第２無線ネットワーク基地局２５および電子装置２７のインターネット１３における識別コードである。例を挙げると、第１物理識別コードは第１無線ネットワーク基地局２３のＭＡＣアドレス（ＭＡＣ  ａｄｄｒｅｓｓ）でよく、第２物理識別コードは第２無線ネットワーク基地局２５のＭＡＣアドレスでよく、電子装置２７の物理識別コードは電子装置２７のＭＡＣアドレスでよい。
【００１７】
無線ネットワークアーキテクチャ２において、第１無線ネットワーク基地局２３はインターネット１３に接続している。第２無線ネットワーク基地局２５は第２ネットワーク識別コードにより自動サーチを行う。第１無線ネットワーク基地局２３が第２無線ネットワーク基地局２５の信号範囲内に位置し、かつ第１ネットワーク識別コードと第２ネットワーク識別コードが同じであるので、第２無線ネットワーク基地局２５は第１無線ネットワーク基地局２３をサーチすることができる。第２無線ネットワーク基地局２５が第１無線ネットワーク基地局２３を自動サーチした後、第２無線ネットワーク基地局２５は第１物理識別コードを記憶し、第１無線ネットワーク基地局２３は第２物理識別コードを記憶し、第２無線ネットワーク基地局２５は第１無線ネットワーク基地局２３に接続する。このとき、第２無線ネットワーク基地局２５が既に第１無線ネットワーク基地局２３に接続しているので、第２無線ネットワーク基地局２５が第１無線ネットワーク基地局２３を介してインターネット１３に接続できることがわかる。
【００１８】
第１電子装置２７が第２無線ネットワーク基地局２５の信号範囲内に位置している場合、第１電子装置２７は、第２無線ネットワーク基地局２５をサーチした後、すぐに第２無線ネットワーク基地局２５および第１無線ネットワーク基地局２３を介してインターネット１３に接続することができる。第１電子装置２７がインターネット１３に接続したとき、第１無線ネットワーク基地局２３は第１電子装置２７の物理識別コードを記憶することができる。
【００１９】
無線ネットワークアーキテクチャ２において、サーバ２１はインターネット１３に接続している。サーバ２１は第１電子装置２７とインターネット１３との間の第１接続ルートを記憶する。例を挙げると、サーバ２１はダウンリンク（ルート２０４、２０６、２０８を含む）または／およびアップリンク（ルート２１０、２１２、２１４を含む）を含む第１接続ルートを記憶することができる。その他の実施形態において、サーバ２１はその他の方法でも第１接続ルートを記憶でき、例えば第１無線ネットワーク基地局２３および第２無線ネットワーク基地局２５を含む第１接続ルートを記憶する。
【００２０】
その後、サーバ２１はサーバ自身とインターネットのルート２０２および第１接続ルート中のダウンリンク（ルート２０４、２０６、２０８）を介して第１情報サービスを第１電子装置２７に伝送する。例を挙げると、第１情報サービスは広告情報、ソフトウエアサービス等でよい。第１情報サービスを第１電子装置２７に伝送した後、サーバ２１はこの第１情報サービスの利益を生むことができ、これは、無線ネットワークアーキテクチャ２によって第１情報サービスを第１電子装置２７に提供することで獲得する利益を示している。サーバ２１は第１接続ルートを記憶しているので、サーバ２１はさらに利益に基づいて、第１接続ルート中の第１無線ネットワーク基地局２３の分配利益を計算し、第１接続ルート中の第２無線ネットワーク基地局２５の分配利益を計算することができる。例を挙げると、サーバ２１は下記の計算式により第１無線ネットワーク基地局２３の分配利益および第２無線ネットワーク基地局２５の分配利益を計算することができる。
Ｐn＝ＰT×ｎ％
ここで、ＰTはサーバ２１が第１情報サービスを第１電子装置２７に伝送した後に生み出す利益を表しており、ｎは無線ネットワーク基地局番号を表し、ｎ％はｎ番目の無線ネットワーク基地局の分配比率を表し、Ｐnはｎ番目の無線ネットワーク基地局の分配利益を表している。
【００２１】
例として、第１情報サービスは広告情報であり、この広告情報の利益は１０元であるとする。サーバ２１は第１無線ネットワーク基地局２３および第２無線ネットワーク基地局２５を介して（即ち第１接続ルートを介して）広告情報を電子装置２７に伝送した後、サーバ２１が第１無線ネットワーク基地局２３の分配比率を３０％、第２無線ネットワーク基地局２５の分配比率を７０％に設定する。すると、サーバ２１は前記公式に基づき、第１無線ネットワーク基地局２３の分配利益は３元であると計算し、第２無線ネットワーク基地局２５の分配利益は７元であると計算する。さらに、サーバ２１は分配利益を計算する方法および各基地局の分配比率を調整できるものであり、前記数字は例を挙げて説明するためだけのものであって、本発明の範囲を制限するものではない。
【００２２】
図２Ｂを参照されたい。図２Ｂは第１無線ネットワーク基地局２３の実施形態を示した略図である。第１無線ネットワーク基地局２３は、通信モジュール２３１、処理モジュール２３３およびメモリモジュール２３５を含んでいる。以下に第１無線ネットワーク基地局２３と第２無線ネットワーク基地局２５が接続するときの詳細な動作をさらに説明する。
【００２３】
第１無線ネットワーク基地局２３は、通信モジュール２３１により通信に関する各種動作を行う。具体的には、第１無線ネットワーク基地局２３は通信モジュール２３１によりインターネット１３に接続し、通信モジュール２３１を介してその他の無線ネットワーク基地局の接続要求を受け取ることができる。第２無線ネットワーク基地局２５が第２ネットワーク識別コードを含む接続要求を送信したとき、第１無線ネットワーク基地局２３は通信モジュール２３１を介して無線ネットワーク通信プロトコルによってこの接続要求を受け取る。本実施例において、無線ネットワーク通信プロトコルはＷＤＳ（Ｗｉｒｅｌｅｓｓ  Ｄｉｓｔｒｉｂｕｔｉｏｎ  Ｓｙｓｔｅｍ）標準であり、その他の実施形態においては、通信モジュール２３１はその他の無線ネットワーク通信プロトコルを採用することができる。処理モジュール２３３が接続要求を受け取った後、第１無線ネットワーク基地局２３は通信モジュール２３１によりインターネット１３を介してサーバ２１から第１情報サービスを受け取り、第２無線ネットワーク基地局２５を介して第１情報サービスを電子装置２７に伝送する。また、第１無線ネットワーク基地局２３はメモリモジュール２３５により第２無線ネットワーク基地局２５の物理識別コードおよび第１電子装置２７の物理識別コードを記憶する。
【００２４】
注意しなければならないのは、第１無線ネットワーク基地局２３と第２無線ネットワーク基地局２５は同じ機能を備えた無線ネットワーク基地局であることである。本実施例において、「第１」および「第２」は第１無線ネットワーク基地局２３と第２無線ネットワーク基地局２５の無線ネットワークアーキテクチャ２における位置を区別するためのものである。言い換えれば、第２無線ネットワーク基地局２５と第１無線ネットワーク基地局２３の位置を入れ替えても、同様の効果を発揮することができる。
【００２５】
また、第１無線ネットワーク基地局２３と第２無線ネットワーク基地局２５は、その他の無線ネットワーク基地局（図面中には図示せず）またはその他の電子装置（図面中に図示せず）と接続を確立することもできる。サーバ２１もその他の電子装置とインターネット１３との間の接続ルートを記録し、その他の情報サービスをその他の電子装置に伝送することができ、かつその他の情報サービスを伝送した後、その他のサービス情報の利益を生み出し、さらに各無線ネットワーク基地局のこれらの接続ルートにおける各無線ネットワーク基地局の分配利益を計算することができる。
【００２６】
前記からわかるように、無線ネットワークアーキテクチャ２において、直接インターネットに接続している第１無線ネットワーク基地局２３は物理識別コードを記憶することによりそのダウンリンク中に含まれる無線ネットワーク基地局（即ち第２無線ネットワーク基地局２５）および電子装置（即ち第１電子装置２７）を認識することができる。サーバ２１は、電子装置（即ち第１電子装置２７）とインターネット１３との間の接続ルート（即ち第１接続ルート）を記憶する。無線ネットワークアーキテクチャ２を介して、サーバ２１は多種の異なる情報サービスを電子装置に提供できるだけでなく、さらにこれら無線ネットワーク基地局を介して情報サービスを電子装置に伝送したことを記録し、さらに伝送した情報サービスがもたらす利益を合理的に分配する。
【００２７】
本発明の第２実施例は無線ネットワークアーキテクチャに用いる通信方法であり、その流れ図を図３に示している。第２実施例の方法は第１実施例に示した無線ネットワークアーキテクチャ２を構築し、さらに無線ネットワークアーキテクチャ２を利用して通信を行うものである。
【００２８】
まず、ステップ３０１において、第２無線ネットワーク基地局２５に第２ネットワーク識別コードにより第１無線ネットワーク基地局２３を自動サーチさせる。その後、ステップ３０２および３０３においてそれぞれ、第２無線ネットワーク基地局２５に第１無線ネットワーク基地局２３の物理識別コードを記憶させ、かつ第１無線ネットワーク基地局２３に第２無線ネットワーク基地局２５の第２物理識別コードを記憶させる。ステップ３０４において、第１無線ネットワーク基地局２３と第２無線ネットワーク基地局２５の間に接続を確立し、その後すぐに第１電子装置２７に、第１無線ネットワーク基地局２３および第２無線ネットワーク基地局２５を介したインターネット１３との接続を提供することができる。
【００２９】
第１電子装置２７が既に第２無線ネットワーク基地局２５に接続していると仮定すると、第１電子装置２７は既に第１無線ネットワーク基地局２３および第２無線ネットワーク基地局２５を介してインターネット１３に接続していることになる。さらに、ステップ３０５において、第１電子装置２７がインターネット１３に接続するとき、第１無線ネットワーク基地局２３および第２無線ネットワーク基地局２５に第１電子装置２７の物理識別コードを記憶させる。ステップ３０６において、サーバ２１にインターネットと第１電子装置２７との間の第１接続ルートを記憶させる。
【００３０】
さらに、第２実施例のステップ３０７において、サーバに第１情報サービスを生成させ、さらにステップ３０８において、サーバに第１接続ルートを介して第１情報サービスを第１電子装置２７に伝送させる。その後、ステップ３０９において、サーバ２１に該第１情報サービスの利益を生み出させ、かつ第１情報サービスの利益に基づき、第１接続ルート中の第１無線ネットワーク基地局２３の分配利益および第２無線ネットワーク基地局２５の分配利益を計算させる。
【００３１】
前記ステップ以外に、第２実施例では第１実施例の全ての操作および機能を実行することもできる。第２実施例で前記第１実施例に基づいて如何にしてこれらの操作および機能を実行するかは、属する技術分野の通常知識を有する当業者が直接理解できるものであるので、ここでは詳述しない。
【００３２】
本発明の第３実施例は図４に示しているとおり、第１実施例の無線ネットワークアーキテクチャ２の拡張である。第３実施例の無線ネットワークアーキテクチャ４は、第１実施例に記載のサーバ２１、インターネット１３、第１無線ネットワーク基地局２３、第２無線ネットワーク基地局２５および第１電子装置２７を含んでいるほか、さらに第３無線ネットワーク基地局４１および第２電子装置４３を含んでいる。
【００３３】
第３無線ネットワーク基地局４１は、第２ネットワーク識別コードと同じ第３ネットワーク識別コードを有し、かつ第３物理識別コードを有している。第１実施例と同様に、第３ネットワーク識別コードは、第３無線ネットワーク基地局４１のＥＳＳＩＤでよい。第３物理識別コードは第３無線ネットワーク基地局４１のインターネット１３における識別コードであり、例を挙げると、第３物理識別コードは第３無線ネットワーク基地局４１のＭＡＣアドレスでよい。同様に、第２電子装置４３は物理識別コードを有し、この物理識別コードは第２電子装置４３のインターネット１３における識別コードでも、第２電子装置４３のＭＡＣアドレスでもよい。第２電子装置４３は、無線ネットワークプロトコル機能を有するパソコン、ノート型パソコン、携帯電話またはその他の電子製品である。
【００３４】
無線ネットワークアーキテクチャ４において、サーバ２１、インターネット１３、第１無線ネットワーク基地局２３、第２無線ネットワーク基地局２５および第１電子装置２７間の動作は第１実施例と同じであるので、ここでは詳述せず、以下に第１実施例と異なる部分のみを説明する。
【００３５】
第３無線ネットワーク基地局４１は第３ネットワーク識別コードにより自動サーチを行う。第２無線ネットワーク基地局２５が第３無線ネットワーク基地局４１の信号範囲内に位置し、かつ第２ネットワーク識別コードと第３ネットワーク識別コードが同じであるので、第３無線ネットワーク基地局４１は第２無線ネットワーク基地局２５をサーチすることができる。第３無線ネットワーク基地局４１が第２無線ネットワーク基地局２５を自動サーチした後、第３無線ネットワーク基地局４１は第２物理識別コードを記憶し、第２無線ネットワーク基地局２５は第３物理識別コードを記憶し、第３無線ネットワーク基地局４１は第２無線ネットワーク基地局２５に接続する。このとき、第３無線ネットワーク基地局４１が既に第２無線ネットワーク基地局２５に接続しているので、第３無線ネットワーク基地局４１が第２無線ネットワーク基地局２５および第１無線ネットワーク基地局２３を介してインターネット１３に接続できることがわかる。
【００３６】
第２電子装置４３が第３無線ネットワーク基地局４１の信号範囲内に位置している場合、第２電子装置４３は第３無線ネットワーク基地局４１をサーチした後、すぐに第３無線ネットワーク基地局４１、第２無線ネットワーク基地局２５および第１無線ネットワーク基地局２３を介してインターネット１３に接続することができる。第２電子装置４３がインターネット１３に接続したとき、第１無線ネットワーク基地局２３は第２電子装置４３の物理識別コードを記憶することができる。
【００３７】
サーバ２１はまた、第２電子装置４３とインターネット１３との間の第２接続ルートを記憶することができる。例を挙げると、サーバ２１はダウンリンク（ルート２０４、２０６、４０２、４０４を含む）または／およびアップリンク（ルート４０６、４０８、２１２、２１４を含む）を含む第２接続ルートを記憶することができる。その他の実施形態において、サーバ２１はその他の方法で第２接続ルートを記憶することもでき、例えば第１無線ネットワーク基地局２３、第２無線ネットワーク基地局２５および第３無線ネットワーク基地局４１を含む第２接続ルートを記憶する。
【００３８】
その後、サーバ２１はサーバ自身とインターネットのルート２０２および第２接続ルート中のダウンリンク（ルート２０２、２０４、４０２、４０４）を介して第２情報サービスを第２電子装置４３に伝送する。第２情報サービスを第２電子装置４３に伝送した後、サーバ２１はこの第２情報サービスの利益を生み出すことができ、これは、無線ネットワークアーキテクチャ４によって第２情報サービスを第２電子装置４３に提供して得られる利益を示している。サーバ２１は第２接続ルートを記憶しているので、サーバ２１はさらに利益に基づいて、それぞれ第２接続ルート中の第１無線ネットワーク基地局２３、第２無線ネットワーク基地局２５および第３無線ネットワーク基地局４１の分配利益を計算することができる。具体的な計算方法は第１実施例に類似しているので、ここでは詳述しない。
【００３９】
前記機能および動作以外に、第３実施例は第１実施例の全ての操作および機能も実行することができる。第３実施例で如何にして前記第１実施例に基づきこれらの操作および機能を実行するかは、属する技術分野の通常知識を有する当業者が直接理解できるものであるので、ここでは詳述しない。
【００４０】
本発明の第４実施例は無線ネットワークアーキテクチャに用いる通信方法であり、その一部の流れ図は図５に示しているとおりである。第４実施例の方法は第３実施例に記載の無線ネットワークアーキテクチャ４を構築し、さらに無線ネットワークアーキテクチャ４を利用して通信を行うものである。
【００４１】
第４実施例はまず図３に示しているステップ３０１からステップ３０９を実行する。さらに、ステップ５０１において、第３無線ネットワーク基地局４１に第３ネットワーク識別コードにより第２無線ネットワーク基地局２５を自動サーチさせる。その後、ステップ５０２およびステップ５０３においてそれぞれ、第３無線ネットワーク基地局４１に第２無線ネットワーク基地局２５の第２物理識別コードを記憶させ、第２無線ネットワーク基地局２５に第３無線ネットワーク基地局４１の第３物理識別コードを記憶させる。本実施例ではステップ５０４において、第３無線ネットワーク基地局４１と第２無線ネットワーク基地局２５の間に接続を確立し、このようにして第２電子装置４３を第３無線ネットワーク基地局４１、第２無線ネットワーク基地局２５および第１無線ネットワーク基地局２３を介したインターネット１３との接続を提供することができる。
【００４２】
第２電子装置４３が既に第３無線ネットワーク基地局４１に接続していると仮定すると、第２電子装置４３は既に第１無線ネットワーク基地局２３、第２無線ネットワーク基地局２５および第３無線ネットワーク基地局４１を介してインターネット１３に接続していることになる。さらに、ステップ５０５において、第２電子装置４３がインターネット１３に接続したとき、第１無線ネットワーク基地局２３、第２無線ネットワーク基地局２５および第３無線ネットワーク基地局４１に第２電子装置２５の物理識別コードを記憶させる。ステップ５０６において、サーバ２１にインターネット１３と第２電子装置４３の間の第２接続ルートを記憶させる。
【００４３】
本実施例はさらにステップ５０７を実行し、サーバ２１に第２情報サービスを生み出させ、さらにステップ５０８を実行し、サーバ２１に第２接続ルートを介して第２情報サービスを第２電子装置４３に伝送させる。その後、ステップ５０９において、サーバ２１に第２情報サービスを第２電子装置４３に伝送させた後、第２広告情報の利益を生み出させ、かつ第２広告情報の利益に基づき、第２接続ルート中の第１無線ネットワーク基地局２３の分配利益、第２無線ネットワーク基地局２５の分配利益および第３無線ネットワーク基地局４１の分配利益を計算させる。前記ステップ以外に、第４実施例は第３実施例の全ての操作および機能も実行することができる。第４実施例で如何にして前記第３実施例に基づきこれらの操作および機能を実行するかは、属する技術分野の通常知識を有する当業者が直接理解できるものであるので、ここでは詳述しない。
【００４４】
前記を総合すると、本発明の無線ネットワークアーキテクチャにおいて、直接インターネットに接続する無線ネットワーク基地局は、物理識別コードを記憶することによりそのダウンリンク中に含まれる無線ネットワーク基地局および電子装置を認識できるものである。また、サーバは電子装置とインターネットの間の接続ルートを記憶し、これにより情報サービスを電子装置に伝送し、この情報サービスを伝送する利益を生むことができる。その後、サーバは利益を接続ルート上の無線ネットワーク基地局に分配する。これにより、本発明は無線ネットワーク基地局を新たに増やして無線ネットワークアーキテクチャを拡大したときに、無線ネットワーク基地局間で自動サーチして接続を確立できるものであり、繁雑な手動設定が必要なくなる。また、直接インターネットに接続している無線ネットワーク基地局は依然としてそのダウンリンク中に含まれる無線ネットワーク基地局および電子装置を認識でき、公平かつ合理的に、情報サービスを伝送する無線ネットワーク基地局が分配されるべき利益に参加することを求めることができる。単一の無線ネットワーク基地局で電子装置をインターネットに接続している従来の無線ネットワークアーキテクチャに比べて、本発明は明らかに無線ネットワークアーキテクチャの信号送信範囲を大幅に拡大し、サービスの多様化および利便性を提供するものである。
【００４５】
前記実施例は本発明の実施形態の例を挙げ、本発明の技術特徴を説明するためのものに過ぎず、本発明の保護範囲を制限するものではない。当業者が容易に完成し得る変更またはそれに類似する処理などはいずれも本発明が主張する範囲に属するものであり、本発明の権利保護範囲は特許請求の範囲を基準とする。
【符号の説明】
【００４６】
１      従来の無線ネットワークアーキテクチャ
１１    サーバ
１３    インターネット
１５    無線ネットワーク基地局
１７    電子装置
２      無線ネットワークアーキテクチャ
２１    サーバ
２３    第１無線ネットワーク基地局
２５    第２無線ネットワーク基地局
２７    第１電子装置
２０２  ルート
２０４  ルート
２０６  ルート
２０８  ルート
２１０  ルート
２１２  ルート
２１４  ルート
２１６  ルート
２３１  通信モジュール
２３３  処理モジュール
２３５  メモリモジュール
４      無線ネットワークアーキテクチャ
４１    第３無線ネットワーク基地局
４３    第２電子装置
４０２  ルート
４０４  ルート
４０６  ルート
４０８  ルート
【図１】
2010183556.tif 000003
【図２Ａ】
2010183556.tif 000004
【図２Ｂ】
2010183556.tif 000005
【図３】
2010183556.tif 000006
【図４】
2010183556.tif 000007
【図５】
2010183556.tif 000008